(57)【要約】【課題】組成物の香りを過度に強くすることなく酢酸臭をマスキングすることができる酢酸臭抑制剤、およびそれを含有する酢酸洗浄剤組成物を提供する。【解決手段】有効成分として酢酸を含む酢酸洗浄剤組成物に配合され、１種又は２種以上のアルキルグリコシドからなる酢酸臭抑制剤。【選択図】なし【特許請求の範囲】
【請求項１】
有効成分として酢酸を含む酢酸洗浄剤組成物に配合され、１種又は２種以上のアルキルグリコシドからなる酢酸臭抑制剤。
【請求項２】
前記アルキルグリコシドのアルキル鎖長がＣ４〜Ｃ１０であることを特徴とする請求項１に記載の酢酸臭抑制剤。
【請求項３】
前記アルキルグリコシドが、デシルグリコシド、オクチルグリコシドから選ばれる１種又は２種であることを特徴とする請求項２に記載の酢酸臭抑制剤。
【請求項４】
前記酢酸洗浄剤組成物に対する前記アルキルグリコシドの配合量が０．２質量％以上１５質量％以下であることを特徴とする請求項１乃至請求項３のいずれかに記載の酢酸臭抑制剤。
【請求項５】
前記酢酸洗浄剤組成物に対する前記アルキルグリコシドの配合量が１質量％以上３質量％以下であることを特徴とする請求項４に記載の酢酸臭抑制剤。
【請求項６】
（Ａ）１質量％以上５質量％以下の酢酸、（Ｂ）酢酸臭抑制剤として０．２質量％以上１５質量％以下のアルキルグリコシド、及び（Ｃ）水を含有することを特徴とする酢酸洗浄剤組成物。
【請求項７】
前記アルキルグリコシドのアルキル鎖長がＣ４〜Ｃ１０であることを特徴とする請求項６に記載の酢酸洗浄剤組成物。
【請求項８】
前記アルキルグリコシドが、デシルグリコシド、オクチルグリコシドから選ばれる１種又は２種であることを特徴とする請求項７に記載の酢酸洗浄剤組成物。
【請求項９】
前記アルキルグリコシドの配合量が１質量％以上３質量％以下であることを特徴とする請求項６乃至請求項８のいずれかに記載の酢酸洗浄剤組成物。
【発明の詳細な説明】
【技術分野】
【０００１】
本発明は、有効成分として酢酸を配合した酢酸洗浄剤組成物に配合され、使用時の酢酸臭を抑制する酢酸臭抑制剤、およびそれを含有する酢酸洗浄剤組成物に関する。
【背景技術】
【０００２】
台所のシンクの汚れは、ケイ素やカルシウムを主成分とする無機質汚れと調理時や食器類からの油性汚れからなり、また、浴室内の浴槽、浴室の床や壁、洗面台あるいはトイレ室内の便器等に付着している汚れは人体から分泌される油性物質、脂肪酸金属塩、リン酸カルシウム等からなる。一方、建物の壁や窓ガラスの汚れは、大気中の塵埃や車の排気ガス成分である窒素酸化物、硫黄酸化物、炭化水素、酸化ケイ素、酸化鉄等や綿埃、タバコのヤニ、手垢などの皮脂汚れからなる。これらの汚れ成分は長期間の放置により、非常に除去し難い汚れとなる。
【０００３】
従来、これらの汚れを除去する洗浄剤としては、酸性物質としてヒドロキシカルボン酸や塩酸等を使用した酸性洗浄剤や、エチレンジアミン四酢酸塩等に代表される金属イオン封鎖剤を含有する中性あるいはアルカリ性の洗浄剤が知られている。
【０００４】
一方、酢酸や食酢の洗浄効果は古くから知られている。しかし、酢酸や食酢は独特の酢酸臭を有するため、洗浄成分として酢酸や食酢を配合すると使用時に多少の酢酸臭は我慢しなければならず、製品の使用感を著しく低下させるという問題があった。
【０００５】
そこで、酢酸臭をマスキングすることにより酢酸を含有する洗浄剤の使用感を高める方法が提案されており、例えば特許文献１には、酢酸を含有する洗浄剤組成物において、ユズ、レモン、ライム、グレープフルーツ、マンダリン、オレンジのカンキツ系香料又はアップル、ピーチ、パイナップル、ストロベリー、バナナ、グレープ系香料であるフルーツ系香料を配合してなる洗浄剤組成物が開示されている。
【先行技術文献】
【特許文献】
【０００６】
【特許文献１】特開２００２−３８８６号公報
【発明の概要】
【発明が解決しようとする課題】
【０００７】
洗浄効果を高めるために酢酸や食酢を必要量配合すると、その配合量は香料の配合量よりも圧倒的に多いため、特許文献１に記載の方法では酢酸臭を完全にマスキングするには匂いの強い香料を多量に賦香する必要がある。その場合、酢酸臭はマスキングできたとしても洗浄剤組成物の香りが著しく強くなり過ぎてしまうという問題があった。特に、食卓に近い台所では匂いが味覚に影響するため、香りの著しく強い洗浄剤は不適当であった。
【０００８】
本発明は、上記問題点に鑑み、組成物の香りを過度に強くすることなく酢酸臭をマスキングすることができる酢酸臭抑制剤、およびそれを含有する酢酸洗浄剤組成物を提供することを目的とする。
【課題を解決するための手段】
【０００９】
上記目的を達成するために本発明は、有効成分として酢酸を含む酢酸洗浄剤組成物に配合され、１種又は２種以上のアルキルグリコシドからなる酢酸臭抑制剤である。
【００１０】
また本発明は、上記構成の酢酸臭抑制剤において、前記アルキルグリコシドのアルキル鎖長がＣ４〜Ｃ１０であることを特徴としている。
【００１１】
また本発明は、上記構成の酢酸臭抑制剤において、前記アルキルグリコシドが、デシルグリコシド、オクチルグリコシドから選ばれる１種又は２種であることを特徴としている。
【００１２】
また本発明は、上記構成の酢酸臭抑制剤において、前記酢酸洗浄剤組成物に対する前記アルキルグリコシドの配合量が０．２質量％以上１５質量％以下であることを特徴としている。
【００１３】
また本発明は、上記構成の酢酸臭抑制剤において、前記酢酸洗浄剤組成物に対する前記アルキルグリコシドの配合量が１質量％以上３質量％以下であることを特徴としている。
【００１４】
また本発明は、（Ａ）１質量％以上５質量％以下の酢酸、（Ｂ）酢酸臭抑制剤として０．２質量％以上１５質量％以下のアルキルグリコシド、及び（Ｃ）水を含有することを特徴とする酢酸洗浄剤組成物である。
【００１５】
また本発明は、上記構成の酢酸洗浄剤組成物において、前記アルキルグリコシドのアルキル鎖長がＣ４〜Ｃ１０であることを特徴としている。
【００１６】
また本発明は、上記構成の酢酸洗浄剤組成物において、前記アルキルグリコシドが、デシルグリコシド、オクチルグリコシドから選ばれる１種又は２種であることを特徴としている。
【００１７】
また本発明は、上記構成の酢酸洗浄剤組成物において、前記アルキルグリコシドの配合量が１質量％以上３質量％以下であることを特徴としている。
【発明の効果】
【００１８】
本発明の第１の構成によれば、酢酸洗浄剤組成物の酢酸臭抑制剤として、１種又は２種以上のアルキルグリコシドを用いることにより、組成物の香りを過度に強くすることなく酢酸洗浄剤組成物の使用時における酢酸臭をマスキングすることができる。従って、酢酸による高い洗浄性と使用感とを兼ね備えた酢酸洗浄剤組成物を簡単に且つ低コストで製造可能となる。
【００１９】
また、本発明の第２の構成によれば、上記第１の構成の酢酸臭抑制剤において、アルキル鎖長がＣ４〜Ｃ１０であるアルキルグリコシドを用いることにより、酢酸臭をより効果的に抑制することができる。
【００２０】
また、本発明の第３の構成によれば、上記第２の構成の酢酸臭抑制剤において、酢酸臭の抑制効果が特に高く、入手も容易であるデシルグリコシド、オクチルグリコシドから選ばれる１種又は２種を用いることにより、酢酸臭の抑制効果を顕著に向上させることができ、安全性にも優れた酢酸洗浄剤組成物を簡単に且つ低コストで製造可能となる。
【００２１】
また、本発明の第４の構成によれば、上記第１乃至第３のいずれかの構成の酢酸臭抑制剤において、酢酸洗浄剤組成物に対するアルキルグリコシドの配合量を０．２質量％以上１５質量％以下とすることにより、酢酸洗浄剤組成物の使用時における酢酸臭の抑制効果をより効果的に発現させることができる。
【００２２】
また、本発明の第５の構成によれば、上記第４の構成の酢酸臭抑制剤において、酢酸洗浄剤組成物に対するアルキルグリコシドの配合量を１質量％以上３質量％以下とすることにより、アルキルグリコシドの配合量を、酢酸洗浄剤組成物の使用時における酢酸臭の抑制によって使用感を向上させるために必要十分な配合量とすることができる。
【００２３】
また、本発明の第６の構成によれば、（Ａ）１質量％以上５質量％以下の酢酸、（Ｂ）酢酸臭抑制剤として０．２質量％以上１５質量％以下のアルキルグリコシド、及び（Ｃ）水を含有することにより、酢酸による汚れの除去効果が高く、且つ、使用時における酢酸臭を抑制することによって使用感にも優れ、安全性も高い酢酸洗浄剤組成物となる。
【００２４】
また、本発明の第７の構成によれば、上記第６の構成の酢酸洗浄剤組成物において、酢酸臭抑制剤としてアルキル鎖長がＣ４〜Ｃ１０であるアルキルグリコシドを配合することにより、使用時の酢酸臭をより効果的に抑制できる酢酸洗浄剤組成物となる。
【００２５】
また、本発明の第８の構成によれば、上記第７の構成の酢酸洗浄剤組成物において、酢酸臭抑制剤として酢酸臭の抑制効果が特に高く、入手も容易であるデシルグリコシド、オクチルグリコシドから選ばれる１種又は２種を用いることにより、酢酸臭の抑制効果を顕著に向上させることができ、安全性にも優れた酢酸洗浄剤組成物となる。
【００２６】
また、本発明の第９の構成によれば、上記第６乃至第８のいずれかの構成の酢酸洗浄剤組成物において、酢酸洗浄剤組成物に対するアルキルグリコシドの配合量を１質量％以上３質量％以下とすることにより、アルキルグリコシドの配合量を、酢酸洗浄剤組成物の使用時における酢酸臭の抑制によって使用感を向上させるために必要十分な配合量とすることができる。
【発明を実施するための形態】
【００２７】
以下、本発明の酢酸臭抑制剤及び酢酸洗浄剤組成物について詳細に説明する。本発明の酢酸洗浄剤組成物は、（Ａ）酢酸、（Ｂ）アルキルグリコシド、及び（Ｃ）水を含有するものである。
【００２８】
本発明の酢酸洗浄剤組成物に配合される成分（Ａ）酢酸としては、合成酢酸、あるいは、加工食酢、醸造食酢が挙げられる。
【００２９】
本発明の酢酸洗浄剤組成物における酢酸の配合量は特に限定されないものの、配合量が少なすぎる場合は十分な洗浄効果が得られない可能性がある。一方、配合量が多すぎると酢酸臭抑制剤による酢酸臭の抑制が困難になる。酢酸の配合量は酢酸洗浄剤組成物全体に対して１質量％以上５質量％以下の範囲とすることが好ましい。
【００３０】
本発明の酢酸洗浄剤組成物には、酢酸臭抑制剤として成分（Ｂ）アルキルグリコシドが配合される。アルキルグリコシドは、糖と高級アルコールがグリコシド結合した、親水基として糖骨格を有する天然原料由来の非イオン性界面活性剤であり、下記一般式（Ｉ）で表される。
Ｒ−Ｏ−Ｇｘ    ・・・（Ｉ）
式（Ｉ）中、Ｒは直鎖又は分岐鎖のアルキル基又はアルケニル基を示す。Ｇは炭素数５〜６の還元糖に由来する残基を示し、ｘの平均縮合度は１〜１０、好ましくは１〜２の数を示す。
【００３１】
従来、香料を配合して酢酸臭をマスキングする方法は多数報告されているが、酢酸臭をマスキング可能な量の香料を配合すると、逆に香料の香りが強くなり過ぎてしまう。そこで、鋭意研究を行った結果、本発明者らは、組成物中にアルキルグリコシドを配合することによって酢酸洗浄剤組成物の酢酸臭を抑制可能であることを見出した。従来、アルキルグリコシドを界面活性剤や分散剤として配合することは知られていたが、アルキルグリコシド自体が酢酸臭を抑制する効果を有することは、本発明者らによって初めて発見された知見である。
【００３２】
一般式（Ｉ）で示されるアルキルグリコシドの具体的な化合物としては、ｎ−ブチル−β−Ｄ−グリコシド（ブチルグリコシド）、ｎ−ヘプチル−β−Ｄ−グリコシド（ヘプチルグリコシド）、ｎ−オクチル−β−Ｄ−グリコシド（オクチルグリコシド）、ｎ−オクチル−β−Ｄ−マルトシド、ｎ−デシル−β−Ｄ−グリコシド（デシルグリコシド）、ｎ−デシル−β−Ｄ−マルトシド、ｎ−ドデシル−β−Ｄ−グリコシド（ラウリルグリコシド）、ｎ−ヘプチル−β−Ｄ−チオグリコシド、ｎ−オクチル−β−Ｄ−チオグリコシド、ｎ−ノニル−β−Ｄ−チオマルトシド等があげられるが、勿論これらに限定されない。
【００３３】
上記のアルキルグリコシドの中では、酢酸洗浄剤組成物に対する溶解性や酢酸臭の抑制効果の観点からアルキル基の炭素数（アルキル鎖長）がＣ４〜Ｃ１０であるアルキルグリコシドが好ましい。アルキル鎖長がＣ４〜Ｃ１０であるアルキルグリコシドとしては、ブチルグリコシド、ヘプチルグリコシド、オクチルグリコシド、デシルグリコシドが挙げられる。特に、アルキル鎖長がＣ８〜Ｃ１０であるアルキルグリコシドは化学製品として汎用されていて入手が容易であり、且つ、顕著な酢酸臭抑制効果を有するため好ましい。アルキル鎖長がＣ８〜Ｃ１０であるアルキルグリコシドとしては、オクチルグリコシド、デシルグリコシドが挙げられる。
【００３４】
アルキルグリコシドの配合量が少なすぎると酢酸臭を十分にマスキングすることができない。一方、アルキルグリコシドの配合量が多すぎると酢酸臭はマスキングされるもののアルキルグリコシド自体の基材臭が強くなる。また、酢酸洗浄剤組成物に対するアルキルグリコシドの溶解性が低下したり、酢酸洗浄剤組成物の粘度が上昇してトリガースプレーによる噴霧が困難となったりする。アルキルグリコシドの配合量は、酢酸洗浄剤組成物全体に対して０．２質量％以上１５質量％以下の範囲で配合することが好ましく、１質量％以上３質量％の範囲がより好ましい。
【００３５】
酢酸洗浄剤組成物には、酢酸及び酢酸臭抑制剤としてのアルキルグリコシドの他、金属イオン封鎖剤が配合される。金属イオン封鎖剤としては、例えば、エチレンジアミン四酢酸、ジエチレントリアミン五酢酸、グリコールエーテルジアミン四酢酸、ヒドロキシエチルイミノ二酢酸、トリエチレンテトラミン六酢酸、ニトリロ三酢酸、イミノ二酢酸等のアミノポリ酢酸及び／又はその塩、ポリアクリル酸、ポリフマル酸、ポリマレイン酸、ポリ−α−ヒドロキシアクリル酸、ポリアセタールカルボン酸及び／又はこれらの塩等の高分子電解質、グリコール酸、ジグリコール酸、オキシジコハク酸、カルボキシメチルオキシコハク酸、クエン酸、乳酸、酒石酸、リンゴ酸、グルコン酸、カルボキシメチルコハク酸、カルボキシメチル酒石酸等のオキシカルボン酸及び／又はその塩、オルトリン酸塩、ピロリン酸塩、トリポリリン酸塩、メタリン酸塩、ヘキサメタリン酸塩、フィチン酸塩等のリン酸塩、エタン−１，１−ジホスホン酸、エタン−１，１，２−トリホスホン酸、エタン−１−ヒドロキシ−１，１−ジホスホン酸、エタンヒドロキシ−１，１，２−トリホスホン酸等のホスホン酸及び／又はその塩、２−ホスホノブタン−１，２−ジカルボン酸、１−ホスホノブタン−２，３，４−トリカルボン酸、α−メチルホスホノコハク酸等のホスホノカルボン酸及び／又はその塩、アスパラギン酸、グルタミン酸、グリシン等のアミノ酸又はこれらの塩を使用することができる。これらの金属イオン封鎖剤の中では、オキシカルボン酸が好ましく、特にクエン酸やリンゴ酸又はそれらの塩は、洗浄性を高め、また使用者が誤って次亜塩素酸塩等を主成分とする塩素系漂白剤や洗浄剤と併用または混合した場合に発生する塩素ガスの量を抑止する効果があるのでさらに好ましい。これらの金属イオン封鎖剤の塩としては、アルカリ金属塩、アンモニウム塩、モルホリン塩、アルカノールアミン塩等であるが、特にアルカリ金属塩が好ましい。これらの金属イオン封鎖剤の配合量は、２０質量％以下、好ましくは０．１〜１６質量％が良い。
【００３６】
酢酸洗浄剤組成物を調製するにあたっては、上記以外の成分として、アニオン性界面活性剤、ノニオン性界面活性剤、両性界面活性剤、カチオン性界面活性剤等の各種界面活性剤、香料、溶剤、ハイドロトロープ剤、増粘剤、研磨剤、再汚染防止剤、無機電解質、殺菌剤、酵素、色素等を、本発明の効果を損なわない範囲で適宜配合してもよい。
【００３７】
アニオン性界面活性剤としては、例えば、アルキルベンゼンスルホン酸塩、α−オレフィンスルホン酸塩、アルカンスルホン酸塩、アルキルジフェニルエーテルジスルホン酸塩、アルキル又はアルケニルエーテル硫酸塩、アルキル又はアルケニル硫酸塩、アルキル又はアルケニルエーテルカルボン酸塩、アルキル又はアルケニルリン酸塩等を使用することができる。中でも、アルキル鎖長がＣ８〜Ｃ１８のアルキルベンゼンスルホン酸塩、α−オレフィンスルホン酸塩、アルカンスルホン酸塩、アルキルジフェニルエーテルジスルホン酸塩等のスルホン酸型アニオン性界面活性剤を好ましく使用することができる。この場合、塩をなす対イオンとしては、アルカリ金属、アルカリ土類金属、アルカノールアミン、アンモニウムイオン等であるが、ナトリウムイオンやカリウムイオン等のアルカリ金属イオンが好ましい。
【００３８】
ノニオン性界面活性剤としては、例えば、アルキル鎖長がＣ８〜Ｃ２２のポリオキシエチレンアルキル又はアルケニルエーテル、ポリオキシエチレンポリオキシプロピレンアルキルエーテル、ポリオキシエチレンアルキルフェニルエーテル、アデカプルロニックに代表されるポリオキシエチレンポリオキシプロピレンブロックポリマー、アルキルグリコシド、ショ糖脂肪酸エステル、脂肪酸グリセリンモノエステル、高級脂肪酸アルカノールアミド又はそのアルキレンオキサイド付加物などを使用することができる。
【００３９】
両性界面活性剤としては、アルキルアミンオキシド、アミノ酸型界面活性剤、Ｎ−アシルアミノ酸型界面活性剤、イミダゾリン型両性界面活性剤、ベタイン型両性界面活性剤、スルホン酸型両性界面活性剤が挙げられ、特にベタイン型両性界面活性剤としては、アルキルベタイン、アルキルアミドベタイン、アルキルアミドカルボベタインなど、スルホン酸型両性界面活性剤としては、アルキル鎖長がＣ８〜Ｃ２０、好ましくはＣ１０〜Ｃ１６のアルキルスルホベタイン、アルキルヒドロキシスルホベタイン、アルキルアミドスルホベタイン、アルキルアミドヒドロキシスルホベタイン等が好ましく使用される。なお、両性界面活性剤は、起泡性を付与できるというメリットを有している。
【００４０】
カチオン性界面活性剤としては、例えば、アルキル鎖長がＣ８〜Ｃ２２のアルキルトリメチルアンモニウム塩、ジアルキルジメチルアンモニウム塩、アルキルアンモニウム塩、アルキルベンジルジメチルアンモニウム塩等を挙げることができる。これらのカチオン性界面活性剤の対イオンは、塩素イオン及び臭素イオン等である。
【００４１】
その他の界面活性剤として、オクチルピロリドンやドデシルピロリドンなどのアルキルピロリドン、ジメチルシロキサン・メチル（ポリオキシエチレン）シロキサン共重合体、ジメチルシロキサン・メチル（ポリオキシエチレンポリオキシプロピレン）シロキサン共重合体等のシリコーン系界面活性剤やフッ素系界面活性剤等も配合してもよい。
【００４２】
香料としては、脂肪族炭化水素、テルペン炭化水素、芳香族炭化水素等の炭化水素類、脂肪族アルコール、テルペンアルコール、芳香族アルコール等のアルコール類、脂肪族エーテル、芳香族エーテル等のエーテル類、脂肪族オキサイド、テルペン類のオキサイド等のオキサイド類、脂肪族アルデヒド、テルペン系アルデヒド、水素化芳香族アルデヒド等、チオアルデヒド、芳香族アルデヒド等のアルデヒド類、脂肪族ケトン、テルペンケトン、水素化芳香族ケトン、脂肪族環状ケトン、非ベンゼン系芳香族ケトン、芳香族ケトン等のケトン類、アセタール類、ケタール類、フェノール類、フェノールエーテル類、脂肪酸、テルペン系カルボン酸、水素化芳香族カルボン酸、芳香族カルボン酸等の酸類、酸アマイド類、脂肪族ラクトン、大環状ラクトン、テルペン系ラクトン、水素化芳香族ラクトン、芳香族ラクトン等のラクトン類、脂肪族エステル、フラン系カルボン酸族エステル、脂肪族環状カルボン酸エステル、シクロヘキシルカルボン酸族エステル、テルペン系カルボン酸エステル、芳香族カルボン酸エステル等のエステル類、ニトロムスク類、ニトリル、アミン、ピリジン類、キノリン類、ピロール、インドール等の含窒素化合物等々の合成香料及び動物、植物からの天然香料の１種又は２種以上を混合し、使用することができる。
【００４３】
これらの香料の具体例としては、アルデヒドＣ６〜Ｃ１２、アニスアルデヒド、アセタールＲ、アセトフェノン、アセチルセドレン、アドキサール、アリルアミルグリコレート、アリルシクロヘキサンプロピオネート、アルファダマスコン、ベータダマスコン、デルタダマスコン、アンブレットリッド、アンブロキサン、アミルシンナミックアルデヒド、アミルシンナミックアルデヒドジメチルアセタール、アミルバレリアネート、アミルサリシレート、イソアミルアセテート、イソアミルサリシレート、オウランチオール、アセチルユゲノール、バクダノール、ベンジルアセテート、ベンジルアルコール、ベンジルサリシレート、ベンガミールアセテート、ボルニルアセテート、ブチルブチレート、パラターシャリーブチルシクロヘキサノール、パラターシャリーブチルシクロヘキシルアセテート、オルトターシャリーブチルシクロヘキサノール、ベンツアルデヒド、ベンジルフォーメート、カリオフィレン、カシュメラン、カルボン、セドロアンバー、セドリルアセテート、セドロール、セレストリッド、シンナミックアルコール、シンアミックアルデヒド、シスジャスモン、シトラール、シトラールジメチルアセタ−ル、シトラサール、シトロネラール、シトロネロール、シトロネリルアセテート、シトロネリルフォーメート、シトロネリルニトリル、シクラセット、シクラメンアルデヒド、シクラプロップ、キャロン、クマリン、シンナミルアセテート、デルタＣ６〜Ｃ１３ラクトン、ジメチルベンジルカービノール、ジヒドロジャスモン、ジヒドロリナロール、ジヒドロミルセノール、ジメトール、ジミルセトール、ジフェニルオキサイド、エチルワニリン、ユゲノール、フルイテート、フェンチールアルコール、フェニルエチルフェニルアセテート、ガラキソリッド、ガンマーＣ６〜１３ラクトン、ゲラニオール、ゲラニルアセテート、ゲラニルフォーメート、ゲラニルニトリル、ヘディオン、ヘリオナール、ヘリオトロピン、シス−３−ヘキセノール、シス−３−ヘキセニールアセテート、シス−３−ヘキセニールサリシレート、ヘキシルシンナミックアルデヒド、ヘキシルサリシレート、ヒアシンスジメチルアセタール、ハイドロトロピックアルコール、ヒドロキシシトロネラール、インドール、イオノン、イソボルニルアセテート、イソシクロシトラール、イソＥスーパー、イソユゲノール、イソノニルアセテート、イソブチルキノリン、ジャスマアール、ジャスモラクトン、ジャスモフィラン、コアボン、リグストラール、リリアール、ライムオキサイド、リモネン、リナロール、リナロールオキサイド、リナリルアセテート、リラール、マンザネート、マイヨール、メンサニールアセテート、メンソネート、メチルアンスラニレート、メチルユゲノール、メントール、アルファメチルイオノン、ベータメチルイオノン、ガンマメチルイオノン、メチルイソユゲノール、メチルラベンダーケトン、メチルサリシレート、ミューゲアルデヒド、ムゴール、ムスクＴＭ−ＩＩ、ムスク７８１、ムスクＣ１４、ムスクＴ、ムスクケトン、ムスクチベチン、ムスクモスケン、ミラックアルデヒド、メチルフェニルアセテート、ネロール、ネリールアセテート、ノピールアセテート、ノピールアルコ−ル、ネオベルガメート、オークモスＮｏ．１、オリボン、オキシフェニロン、パラクレジールメチルエーテル、ペンタリッド、フェニルエチルアルコール、フェニルエチルアセテート、アルファピネン、ルバフラン、ローズフェノン、ローズオキサイド、サンダロア、サンデラ、サンタレックス、スチラリールアセテート、スチラリールプロピオネート、ターピネオール、ターピニルアセテート、テトラハイドロリナロール、テトラハイドロリナリールアセテート、テトラハイドロゲラニオール、テトラハイドロゲラニールアセテート、トナリッド、トラセオライド、トリプラ−ル、チモ−ル、ワニリン、ベルドックス、ヤラヤラ、アニス油、ベイ油、ボアドローズ油、カナンガ油、カルダモン油、カシア油、シダーウッド油、オレンジ油、マンダリン油、タンジェリン油、バジル油、ナツメグ油、シトロネラ油、クローブ油、コリアンダー油、エレミ油、ユーカリ油、フェンネル油、ガルバナム油、ゼラニウム油、ヒバ油、檜油、ジャスミン油、ラバンジン油、ラベンダー油、レモン油、レモングラス油、ライム油、ネロリ油、オークモス油、オコチア油、パチュリ油、ペパーミント油、ペリラ油、プチグレン油、パイン油、ローズ油、ローズマリー油、しょう脳油、芳油、クラリーセージ油、サンダルウッド油、スペアミント油、スパイクラベンダー油、スターアニス油、タイム油、トンカ豆チンキ、テレピン油、ワニラ豆チンキ、ベチバー油、イランイラン油、グレープフルーツ油、ゆず油、ベンゾイン、ペルーバルサム、トルーバルサム、チュベローズ油、ムスクチンキ、カストリウムチンキ、シベットチンキ、アンバーグリスチンキ等が挙げられる。
【００４４】
溶剤は、アルキルグリコシドや香料が水に溶解し難い場合に可溶化剤として配合できる。溶剤としては、エタノール、イソプロパノールなどの低級アルコール、エチレングリコール、プロピレングリコール、グリセリンなどの多価アルコール、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノプロピルエーテル、ジエチレングリコールモノブチルエーテル、プロピレングリコールモノメチルエーテル、ジプロピレングリコールモノメチルエーテル、トリプロピレングリコールモノメチルエーテル、プロピレングリコールモノブチルエーテル、プロピレングリコール−tert−ブチルエーテル、ジプロピレングリコールモノブチルエーテル、トリプロピレングリコールモノブチルエーテル、ポリオキシエチレン（Ｐ＝１〜３）ポリオキシプロピレン（Ｐ＝１〜４）グリコールモノエチルエーテル（Ｐは平均付加モル数を示す）、ポリオキシエチレン（Ｐ＝１〜２）ポリオキシプロピレン（Ｐ＝１〜３）グリコールモノブチルエーテル、プロピレングリコールジメチルエーテル、ジプロピレングリコールジメチルエーテル、ポリオキシエチレン（Ｐ＝２〜３）ポリオキシプロピレン（Ｐ＝２〜３）グリコールジメチルエーテル、ポリオキシエチレン（Ｐ＝２〜４）グリコールフェニルエーテル、フェニルカルビトール、フェニルセロソルブ、ベンジルカルビトールなどのグリコールエーテル系溶剤、その他３−メチル−３−メトキシブタノール、メチルピロリドンなどを使用できるが、特に油性汚れに対する洗浄効果の点でグリコールエーテル系溶剤が好ましい。これらの溶剤の配合量は３０重量％以下、好ましくは１〜２０重量％が良い。
【００４５】
また、香料の溶剤又は保留剤として、ジエチルフタレート、ジプロピレングリコール、ベンジルベンゾエート、イソプロピルミリステート、ハーコリン等を使用することができる。
【００４６】
ハイドロトロープ剤は、水に溶解し難い香料や溶剤等に対する可溶化剤、或いは溶液を均一にするための安定化剤や泡調整剤として配合できる。ハイドロトロープ剤の具体例としてはｐ−トルエンスルホン酸、ｍ−キシレンスルホン酸又はそれらの塩等が挙げられる。
【００４７】
増粘剤としては、キサンタンガム、カラギーナン、ローカストビーンガム、アルギン酸塩、セルロース誘導体などの高分子多糖類、高分子量のポリアクリル酸塩やポリビニルアルコールなどが使用できる。
【００４８】
研磨材としては、シリカまたは多孔質シリカ、酸化アルミニウム、酸化チタン、アルミノシリケート、炭化珪素、石英砂、砂、貝殻などの天然粉砕物、雲母粉末、珪石、珪藻土、カオロナイト、ハロイサイト、モンモリロナイト、イライト、バーミキューライトなどが使用できる。
【００４９】
再汚染防止剤としては、低分子量のポリエチレングリコール、ポリビニルアルコール、ポリビニルピロリドン、ポリアクリル酸塩やカルボキシメチルセルロース等を使用することができる。
【００５０】
こうして得られた本発明の酢酸洗浄剤組成物を、浴室や台所周りに塗布あるいはスプレーすることで、無機質汚れ、油性汚れ、皮脂汚れ等の種々の汚れを効果的に除去することができ、且つ、使用時の酢酸臭が抑制されることによって製品の使用感を高めることができる。また、後述する実施例からも明らかなように、トリガーポンプに泡を形成するフォーマー部を取り付けて泡状にスプレーすると、フォーマー部を外してミスト状にスプレーした場合に比べて酢酸臭の抑制効果が高くなる。
【００５１】
また、本発明の酢酸洗浄剤組成物は、（Ａ）酢酸、（Ｂ）アルキルグリコシドを（Ｃ）水に配合するだけの、非常に単純な組成である。そのため、製造が簡便なうえ、使用時の酢酸臭が気にならず使用感が極めて高いものである。
【００５２】
なお、本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。以下、実施例により本発明の効果について更に具体的に説明するが、本発明はこれらの実施例に制約されるものではない。
【実施例１】
【００５３】
［酢酸臭抑制効果の確認試験］
本発明１〜１９及び比較例１〜６の酢酸洗浄剤組成物を調製し、酢酸臭の抑制効果について調査した。
【００５４】
試験方法は、泡を形成するフォーマー部を取り付けたトリガーポンプに各サンプルを入れ、２００ｍＬのビーカーに１回噴霧した時の酢酸臭の強さを、それぞれ次の基準にしたがってスコア化した。
ほぼ臭わない：２点
やや臭う：１点
かなり臭う：０点
【００５５】
４名の被験者によるスコアの平均点に基づいて、酢酸臭の抑制効果を以下の３段階に評価した。結果を本発明１〜１９及び比較例１〜６の配合と併せて表１〜表３に示す。
平均点が１．５以上：◎
平均点が１以上１．２５以下：○
平均点が０．７５以下：×
【００５６】
【表１】
2019104838.tif 000002
【００５７】
【表２】
2019104838.tif 000003
【００５８】
【表３】
2019104838.tif 000004
注１；各成分の数字は質量％
注２；ノニオシドＢ−１５（第一工業製薬社製）
注３； ＳＩＭＵＬＳＯＬ  ＳＬ７Ｇ（ＳＥＰＰＩＣ社製、平均縮合度ｘ：１〜１．５）
注４；ノニオシドＯ−１３（第一工業製薬社製）
注５；Ｏｒａｍｉｘ  ＮＳ１０（ＳＥＰＰＩＣ社製）
※１；トリガーポンプからフォーマー部を外してミスト状にスプレー。
※２；溶解性が不均一であったためエタノールを添加。
※３；酢酸臭は消失したが、グリコシド自体の臭いが強い。
【００５９】
試験の結果、酢酸臭抑制剤として０．２質量％〜１５質量％のアルキルグリコシドを配合した本発明１〜１９の酢酸洗浄剤組成物は、酢酸の配合量が１．５質量％〜５質量％である酢酸洗浄剤組成物において酢酸臭が有意に低減されることが確認された。特に、アルキルグリコシドとしてデシルグリコシド及び／またはオクチルグリコシドを１質量％〜３質量％配合した本発明３〜６及び９、１１〜１４、１６、１７では、酢酸の配合量が１．５質量％〜３質量％の酢酸洗浄剤組成物において酢酸臭を効果的に低減することができた。
【００６０】
また、実施例９、１０の比較より、トリガーポンプにフォーマー部を取り付けて泡状にスプレーすると（実施例９）、フォーマー部を外してミスト状にスプレーした場合（実施例１０）に比べて酢酸臭の抑制効果が高くなることが確認された。
【００６１】
これに対し、アルキルグリコシドの配合量が０．１質量％である比較例１、２、酢酸の配合量が１０質量％である比較例３、４、およびアルキルグリコシドを配合しなかった比較例６では、いずれも酢酸の刺激臭があり、酢酸臭の低減化効果が認められなかった。また、オクチルグリコシドを３０質量％配合した比較例５では、酢酸臭は消失したものの、グリコシド自体の臭いが強く実用的でなかった。
【実施例２】
【００６２】
［酢酸洗浄剤組成物の製造例］
酢酸１．５質量％、オクチルグリコシド（酢酸臭抑制剤）３質量％、アルキル鎖長がＣ１２のアミンオキシド（両性界面活性剤）２質量％、塩化ベンザルコニウム（カチオン性界面活性剤）０．１質量％、エチレンジアミン四酢酸２ナトリウム塩（金属イオン封鎖剤）２質量％、ジエチレングリコールモノブチルエーテル（溶剤）５質量％に、精製水を加えて１００質量％として酢酸洗浄剤組成物を調製した。
【００６３】
得られた酢酸洗浄剤組成物を用いて湯垢汚れが付着している家庭用の洗面器で洗浄性と酢酸臭の強さを調べる実用試験を行ったところ、酢酸臭のマスキング効果が良好であり、洗浄性も優れていた。
【産業上の利用可能性】
【００６４】
本発明の酢酸臭抑制剤によれば、酢酸臭のマスキング効果に優れ、しかも洗浄性の高い浴室、台所周り用の酢酸洗浄剤組成物を得ることができる。